(57)【要約】【課題】設定項目の一覧性を確保し、直感的に目的の操作を行う操作装置を提供すること。【解決手段】少なくとも１つ以上の設定項目を表示する表示手段１０２と、前記表示手段１０２へ人体の一部が接触した位置を検出するタッチ操作手段１０３とを備えた操作装置において、人体の一部が前記表示手段１０２に近接したことを検知する近接検知部２０３を備え、前記近接検知部２０３において人体の一部が前記表示手段１０２に近接したことを検知すると、前記近接検知部２０３で検知された近接検知位置の設定項目に対応する詳細設定画面を前記表示手段１０２へ表示する。【選択図】図２
2014147441.tif 000002
【特許請求の範囲】
【請求項１】
少なくとも１つ以上の設定項目を表示する表示手段と、前記表示手段へ人体の一部が接触した位置を検出するタッチ操作手段と、人体の一部が前記表示手段に近接したことを検知する近接検知部とを備え、
前記近接検知部において人体の一部が前記表示手段に近接したことを検知すると、前記近接検知部で検知された近接検知位置の設定項目に対応する詳細設定画面を前記表示手段へ表示する操作装置。
【請求項２】
前記表示手段で表示する詳細設定画面の表示位置は、前記近接検知部からの入力位置に対して、予め設定された相対座標位置とする請求項１記載の操作装置。
【請求項３】
前記近接検知部は、検知された人体の一部の上下左右方向への移動を検知するスライド検知部を備え、前記近接検知部で検知された近接検知位置の詳細設定画面を表示した後、前記近接検知位置に対して人体の一部の上下左右操作があった場合、前記スライド検知部で検知された方向の設定項目に対応する詳細設定画面に切り換えて表示する請求項１または２に記載の操作装置。
【請求項４】
前記表示手段は、前記近接検知部で検知された近接検知位置の詳細設定画面を表示した後、検知された人体の一部が前記表示手段から予め設定された距離以内にある場合は、前記詳細設定画面をタッチ操作可能とする請求項１〜３のいずれか１項に記載の操作装置。
【請求項５】
前記表示手段は、前記近接検知部で検知された近接検知位置の詳細設定画面を表示した後、検知された人体の一部が前記表示手段から予め設定された距離以上まで離れると、前記詳細設定画面を消去する請求項１〜４のいずれか１項に記載の操作装置。
【請求項６】
前記表示手段は、前記近接検知部において人体の一部が前記表示手段に近接したことを検知した後、予め設定された時間経過後に詳細設定画面を表示する請求項１〜５のいずれか１項に記載の操作装置。
【請求項７】
洗い、すすぎ、脱水等の洗濯に関する設定項目を表示する表示手段と、前記表示手段へ人体の一部が接触した位置を検出するタッチ操作手段とを備えた操作装置において、人体の一部が前記表示手段に近接したことを検知する近接検知部を備え、前記近接検知部において人体の一部が前記表示手段に近接したことを検知すると、前記近接検知部で検知された近接検知位置の設定項目に対応する詳細設定画面を前記表示手段へ表示する洗濯機。
【発明の詳細な説明】
【技術分野】
【０００１】
本発明は、家電機器の操作装置、及び洗濯機に関するものである。
【背景技術】
【０００２】
従来の家電機器の一例として示されている洗濯機には、ＬＥＤやセグメント液晶などの表示手段と、操作ボタンからなる操作手段とを備えた操作装置が搭載されており、洗い、すすぎ、脱水等の洗濯に関する設定項目を表示手段に表示し、それぞれに対応する操作ボタンを押下することにより、ユーザの好みに応じて機能の選択や条件の設定など、洗濯に関する設定を行っている。
【０００３】
しかしながら、洗濯コースの増加や機能の増加に伴い、設定項目や表示項目が増加し、表示手段上に表示される情報が煩雑になる、といった課題や、操作ボタンが増加することにより操作性が損なわれるといった課題を有していた。
【０００４】
そのため、タッチパネルと液晶画面を使用して、多数の表示項目の表示ができ、それぞれの表示が見やすく、操作も容易とする技術が提案されている（例えば、特許文献１参照）。
【０００５】
ここで、特許文献１に記載された洗濯機の操作装置を図１３に示す。図１３において、操作装置はマトリクス型の液晶ディスプレイからなる表示手段１０２と、タッチパネルからなるタッチ操作手段１０３から構成され、前記表示手段１０２上に表示する画面は、洗濯コースを選択する標準ボタン７０１と、手洗いボタン７０２と、ふとんボタン７０３と、各洗濯行程の設定状態を表示する洗い行程表示部７０４と、すすぎ行程表示部７０５と、脱水行程表示部７０６と、残時間を表示する残時間表示部７０７と、水量を表示する水量表示部７０８と、各行程の詳細設定、および水量を変更する設定ボタン７１１から構成される。
【０００６】
以上のように構成された操作装置は、画面のレイアウトを任意に変更することが可能であり、設定時には必要な設定項目を一覧表示可能で、かつユーザが操作しやすいような大きさで画面上に配置することができる。
【先行技術文献】
【特許文献】
【０００７】
【特許文献１】特開平９−０８４９８９号公報
【発明の概要】
【発明が解決しようとする課題】
【０００８】
しかしながら、前記従来の手段では、必要な設定項目を任意に表示することが可能であるが、設定項目が多い場合は、ユーザが認識しやすい文字サイズや、押下しやすいボタンサイズを画面上に確保することが困難となり、文字サイズやボタンサイズを小さくする必要があるといった課題や、時間設定などスライダー操作の方が望ましい設定項目であっても必要な領域を画面上に確保することが困難であり、別の設定画面に切り換えて表示したり、詳細ウィンドウを開いて表示したりする必要があり、その結果、設定項目の一覧性を損ない、ユーザのボタン押下回数が増加するといった課題を有していた。
【０００９】
そこで本発明は、必要な文字サイズやボタンサイズを確保することが困難な領域が存在する設定画面においても、一覧性を確保しつつ、ボタン押下回数にストレスを感じさせな
い洗濯機の操作装置を提供することを目的とする。
【課題を解決するための手段】
【００１０】
本発明は、前記従来の課題を解決するために、洗濯機の操作装置に人体の一部が表示手段に近接したことを検知する近接検知部を備え、人体の一部が表示手段に近接したことを検知すると、検知された近接検知位置の設定項目に対応する詳細設定画面を表示手段へ表示する操作装置としたものである。
【発明の効果】
【００１１】
本発明は、ユーザが画面を操作する際の指の近接状態を判断して、ボタンを押下することなく必要な詳細設定画面を表示することが可能となるため、一覧性を確保するために文字サイズやボタンサイズが小さくなるような画面においても、ユーザの操作性を向上させることが可能となる。
【図面の簡単な説明】
【００１２】
【図１】本発明の実施の形態１から形態３における洗濯機の概略図
【図２】本発明の実施の形態１における洗濯機の操作表示部の構成図
【図３】本発明の実施の形態１から形態３における洗濯機の基本設定画面を示す図
【図４】本発明の実施の形態１におけるフローチャート
【図５】本発明の実施の形態１における洗濯機の詳細設定画面を示す図
【図６】本発明の実施の形態１における洗濯機の詳細設定画面の表示位置を示す図
【図７】本発明の実施の形態２における洗濯機の操作表示部の構成図
【図８】本発明の実施の形態２におけるフローチャート
【図９】本発明の実施の形態２における洗濯機の詳細設定画面を示す図
【図１０】本発明の実施の形態３における洗濯機の操作表示部の構成図
【図１１】本発明の実施の形態３におけるフローチャート
【図１２】本発明の実施の形態３における洗濯機の詳細設定画面を示す図
【図１３】従来の洗濯機の設定画面を示す図
【発明を実施するための形態】
【００１３】
第１の発明は、少なくとも１つ以上の設定項目を表示する表示手段と、前記表示手段へ人体の一部が接触した位置を検出するタッチ操作手段とを備えた操作装置において、人体の一部が前記表示手段に近接したことを検知する近接検知部を備えた操作装置である。
【００１４】
これによって、前記近接検知部で検知された近接検知位置の設定項目に対応する詳細設定画面を前記表示手段へ表示することが可能となり、ユーザはボタンを押下することなく必要な詳細設定画面を表示することができる。
【００１５】
第２の発明は、特に、第１の発明の操作装置において、前記表示手段へ表示する詳細設定画面の表示位置を、前記近接検知部からの入力位置に対して、予め設定された相対座標位置とするものである。
【００１６】
これによって、前記表示手段へ表示する詳細設定画面を、前記近接検知部で検知された近接検知位置付近に表示することが可能となり、前記詳細設定画面がユーザの意図する詳細設定画面であるかどうかを直感的に判断することができ、視点を大きく変化させることなく操作することができる。
【００１７】
第３の発明は、特に、第１または第２の発明の操作装置の近接検知部において、検知された人体の一部の上下左右方向への移動を検知するスライド検知部を備えたものである。
【００１８】
これによって、前記近接検知部で検知された近接検知位置の詳細設定画面を表示した後、前記近接検知位置に対して指の上下左右操作があった場合、前記スライド検知部で検知された指の移動方向の設定項目に対応する詳細設定画面に切り換えて表示することが可能となり、ユーザが設定する必要のない詳細設定画面を表示させた場合においても、ボタンを押下することなく詳細設定画面を変更することができる。
【００１９】
第４の発明は、特に、第１から第３のいずれか１つの発明の操作装置において、前記近接検知部で検知された近接検知位置の詳細設定画面を表示した後、検知された人体の一部が前記表示手段から予め設定された距離以内にある場合は、前記詳細設定画面をタッチ操作可能とするものである。
【００２０】
これによって、前記表示手段へ表示した詳細設定画面の設定を直接設定することが可能となり、ユーザがボタンを押下する回数を増やすことなく必要な詳細設定を行うことができる。
【００２１】
第５の発明は、特に、第１から第４のいずれか１つの発明の操作装置の表示手段において、記近接検知部で検知された近接検知位置の詳細設定画面を表示した後、検知された人体の一部が前記表示手段から予め設定された距離以上まで離れると、前記詳細設定画面を消去するものである。
【００２２】
これによって、ユーザが設定する必要のない設定項目の詳細設定画面を表示させた場合においても、ボタンを押下することなく設定画面を消去することができる。
【００２３】
第６の発明は、特に、第１から第５のいずれか１つの発明の操作装置において、前記近接検知部において人体の一部が前記表示手段に近接したことを検知した後、予め設定された時間経過後に詳細設定画面を表示するものである。
【００２４】
これによって、前記近接検知部で人体の一部が近接したことを検知しても、すぐに詳細設定画面を表示しないようにすることが可能となり、必要以上に詳細設定画面が表示することを防ぐことができる。
【００２５】
以下、本発明の実施の形態について、図面を参照しながら説明する。なお、この実施の形態によって本発明が限定されるものではない。
【００２６】
（実施の形態１）
まず、図１に、本発明の第１の実施の形態における洗濯機の外観の概略図を示す。図１において、洗濯機本体１０１は、マトリクス型の液晶ディスプレイからなる表示手段１０２と、タッチパネルからなるタッチ操作手段１０３で構成される操作表示部１１１と、前記洗濯機本体１０１の電源および洗濯動作の開始／停止を操作する操作キー１０４と、ドア１０５から構成される。
【００２７】
ここで、前記タッチ操作手段１０３は格子状に配列された電極パターンで構成された静電容量方式のタッチパネルであり、前記表示手段１０２上に粘着することにより、前記表示手段１０２へのタッチ位置を検出することが可能である。
【００２８】
次に、図２に、本実施の形態における洗濯機の操作表示部１１１の構成図を示す。図２において、前記洗濯機本体１０１の操作表示部１１１は、前記タッチ操作手段１０３で検出された静電容量の変化を元にタッチ操作された内容を検知する操作検知部２０１と、前記操作検知部２０１で検知されたタッチ操作情報を元に前記表示手段１０２へ表示する画面を制御する表示制御部２１１から構成され、前記操作検知部２０１は、前記表示手段１
０２へ人体の一部が接触したことを検知する接触検知部２０２と、前記タッチ操作手段１０３で検出された静電容量の距離方向への変化を元に前記表示手段１０２へ人体の一部が近接したことを検知する近接検知部２０３から構成される。
【００２９】
ここで、前記近接検知部２０３には、予め人体の一部が近接したと判定する静電容量レベルが設定され、前記近接検知部２０３で検知された静電容量が予め設定された静電容量レベル以下となった場合、人体の一部が前記表示手段１０２に近接したと判定する構成とする。
【００３０】
また、前記表示制御部２１１は、前記近接検知部２０３で検知された近接検知情報を元に表示する詳細設定画面の座標位置を判定する表示位置判定部２１２を備えた構成であり、前記表示位置判定部２１２には、前記詳細設定画面を表示する座標が、前記近接検知部２０３で検知された近接検知位置の相対座標として予め設定されているものとする。
【００３１】
ここで、本実施の形態おける座標体系は、左上座標を原点座標とし、図３の表示画面例に示すＸ方向、Ｙ方向からなる座標体系とする。
【００３２】
次に、本実施の形態における表示画面例を図３に示す。図３は、電源ＯＮ時に前記表示手段１０２へ表示される基本設定画面の例であり、洗濯行程を選択する洗濯行程ボタン３０１と、洗濯〜乾燥行程を選択する洗乾行程ボタン３０２と、乾燥行程を選択する乾燥行程ボタン３０３と、行程全体の残時間を表示する残時間表示部３１１と、洗い時間を設定する洗い設定ボタン３２１と、すすぎ回数を設定するすすぎ設定ボタン３２２と、脱水時間を設定する脱水設定ボタン３２３と、乾燥時間を設定する乾燥設定ボタン３２４から構成される。
【００３３】
ここで、前記洗い設定ボタン３２１、前記すすぎ設定ボタン３２２、前記脱水設定ボタン３２３、前記乾燥設定ボタン３２４の各ボタンイメージの大きさは各詳細行程の時間レベルを表し、ユーザが直感的に各詳細行程に必要な時間を把握できる画面構成とする。
【００３４】
以上のように構成された洗濯機の操作について、以下その動作・作用を図４のフローチャートを使用して説明する。
【００３５】
まず、洗濯機本体１０１の操作キー１０４を介して、ユーザが前記洗濯機本体１０１の電源をＯＮにし、表示制御部２１１は表示手段１０２へ図３に示す基本設定画面を表示する。前記基本設定画面を表示中に、近接検知部２０３は、タッチ操作手段１０３の静電容量の距離方向への変化より人体の一部が近接したことを検知する（ステップ１）と、静電容量が最も大きい座標を近接検知座標として判定し、前記表示制御部２１１へ前記近接検知座標を通知する（ステップ２）。前記表示制御部２１１は、前記近接検知座標に対応する詳細設定画面があるかどうかを判定（ステップ３）し、詳細設定画面を表示する必要があると判定した場合（ステップ４のＹＥＳ）、表示位置判定部２１２において、予め設定された相対座標を前記近接検知座標に加算することにより前記詳細設定画面の表示座標を決定（ステップ５）し、表示手段１０２の前記表示座標へ前記詳細設定画面を表示する（ステップ６）。
【００３６】
例えば、前記近接検知部２０３において、前記すすぎ設定ボタン３２２の領域にユーザの指の一部が近接したことを検知すると、図５に示すように、前記すすぎ設定ボタン３２２に対応する詳細設定画面であるすすぎ設定画面４０１を表示する。
【００３７】
ここで、前記すすぎ設定画面４０１は、前記すすぎ設定ボタン３２２を直接押下した場合に表示される詳細設定画面を縮小した画面であり、現在設定されているすすぎ回数を表
示するとともにすすぎ回数を変更するすすぎ詳細設定ボタン４０２から構成され、前記すすぎ設定画面４０１を表示することにより、前記すすぎ設定ボタン３２２を押下することなく、現在のすすぎ設定内容を確認することができる。
【００３８】
また、前記すすぎ設定画面４０１は、前記すすぎ設定ボタン３２２を直接押下した場合に表示される詳細設定画面を縮小した画面でなく、別の詳細設定画面としてもよいものとする。
【００３９】
また、前記すすぎ設定画面４０１の表示座標の拡大図を図６に示す。図６に示すように、近接検知座標５０１においてユーザの指の一部が近接したこと検知すると、前記表示位置判定部２１２に予め設定された相対座標を前記近接検知座標５０１に加算した詳細設定画面座標５０２に、前記すすぎ設定画面４０１を表示することになる。
【００４０】
以上のように、本実施の形態においては、前記近接検知部２０３で検知された近接検知位置の設定項目に対応する詳細設定画面を前記表示手段１０２へ表示することが可能となり、一覧性を確保するために文字サイズやボタンサイズを小さくする必要がある画面においても、ユーザはボタンを押下することなく必要な詳細設定画面を表示することができる。
【００４１】
また、本実施の形態においては、前記詳細設定画面は、近接検知位置付近に表示することが可能となり、前記詳細設定画面がユーザの意図する詳細設定画面であるかどうかを直感的に判断することができ、視点を大きく変化させることなく操作することができる。
【００４２】
また、本実施の形態においては、前記詳細設定画面を表示後、前記近接検知部２０３で検知された静電容量が予め設定された静電容量レベル以上となった場合、人体の一部が前記表示手段１０２から離れたと判定し、前記詳細設定画面を消去する構成としてもよいものとする。
【００４３】
さらに、本実施の形態においては、前記表示制御部２１１において、前記近接検知部２０３で人体の一部が前記表示手段に近接したことを検知してから前記詳細設定画面を表示するまでの時間を計測する計時手段を備え、前記近接検知部で２０３において人体の一部が近接したことを検知しても、すぐに前記詳細設定画面を表示しないようにすることにより、必要以上に詳細設定画面が表示することを防ぐ構成としてもよいものとする。
【００４４】
（実施の形態２）
次に、本発明における第２の実施の形態について図７を使用して説明する。
【００４５】
図７は、図２の洗濯機の操作表示部１１１の構成図に対して、近接検知部２０３に、タッチ操作手段１０３で検出された静電容量の座標方向への変化を元に表示手段１０２で人体の一部が上下左右方向にスライド操作したことを検知するスライド検知部２０４と、表示制御部２１１に、前記スライド検知部２０４で検知された方向の設定項目に対応する詳細設定画面を判定するスライド判定部２１３を備えた構成とする。
【００４６】
ここで、前記近接検知部２０３には、予め人体の一部が近接したと判定する静電容量レベルが設定され、前記近接検知部２０３で検知された静電容量が予め設定された静電容量レベル以下となった場合、人体の一部が前記表示手段１０２に近接したと判定する構成とし、前記スライド検知部２０４には、予め人体の一部が上下左右方向にスライド操作したことを検知する座標レベルが設定され、前記近接検知部２０３で検知された静電容量が予め設定された静電容量レベル以下の状態で前記座標レベル以上の座標変化があった場合、人体の一部が前記表示手段１０２上でスライド操作したと判定する構成とする。
【００４７】
以上のように構成された洗濯機の操作について、以下その動作・作用を図８のフローチャートを使用して説明する。
【００４８】
まず、洗濯機本体１０１の操作キー１０４を介して、ユーザが前記洗濯機本体１０１の電源をＯＮにし、表示制御部２１１は表示手段１０２へ図３に示す基本設定画面を表示する。前記基本設定画面を表示中に、近接検知部２０３は、タッチ操作手段１０３の静電容量の距離方向への変化より人体の一部が近接したことを検知（ステップ１）し、前記表示制御部２１１は、前記近接検知位置に対応する詳細設定画面があると判定した場合、前記表示手段１０２へ前記詳細設定画面を表示する（ステップ２）。前記詳細設定画面を表示した後、スライド検知部２０４は、前記タッチ操作手段１０３で検出された静電容量の座標方向への変化を検知する（ステップ３）。前記スライド検知部２０４において、前記表示手段１０２で人体の一部が上下左右方向にスライド操作したことを検知する（ステップ４のＹＥＳ）と、前記表示制御部２１１へスライド検知座標を通知する（ステップ５）。スライド判定部２１３は、前記スライド検知座標の方向に近接する詳細設定画面があるかどうかを判定（ステップ６）し、詳細設定画面を表示する必要があると判定した場合（ステップ７）、表示位置判定部２１２において、予め設定された相対座標を前記スライド検知座標に加算することにより前記詳細設定画面の表示座標を決定し、表示手段１０２の前記表示座標へ前記詳細設定画面を表示する（ステップ８）。
【００４９】
例えば、前記スライド検知部２０４において、すすぎ設定ボタン３２２の領域から脱水設定ボタン３２３の方向にユーザの指の一部がスライドしたことを検知すると、図９に示すように、前記すすぎ設定ボタン３２２に近接する前記脱水設定ボタン３２３に対応する詳細設定画面である脱水設定画面６０１を表示する。
【００５０】
ここで、前記脱水設定画面６０１は、前記脱水設定ボタン３２３を直接押下した場合に表示される詳細設定画面を縮小した画面であり、現在設定されている脱水時間を表示する脱水時間表示部６０２と、脱水時間を変更する脱水詳細設定ボタン６０３から構成され、前記脱水設定画面６０１を表示することにより、前記脱水設定ボタン３２３を押下することなく、現在の脱水設定内容を確認することができる。
【００５１】
また、前記脱水設定画面６０１は、前記脱水設定ボタン３２３を直接押下した場合に表示される詳細設定画面を縮小した画面でなく、別の詳細設定画面としてもよいものとする。
【００５２】
以上のように、本実施の形態においては、前記近接検知部２０３で検知された近接検知位置に対応する詳細設定画面を表示した後、前記近接検知位置に対して人体の一部の上下左右操作があった場合、前記スライド検知部２０４で検知された指の移動方向の設定項目に対応する詳細設定画面に切り換えて表示することが可能となり、ユーザが設定する必要のない詳細設定画面を表示させた場合においても、ボタンを押下することなく詳細設定画面を変更することができる。
【００５３】
また、本実施の形態においては、前記詳細設定画面は、スライド操作後もユーザの指付近に表示することが可能となり、前記詳細設定画面がユーザの意図する詳細設定画面であるかどうかを直感的に判断することができ、視点を大きく変化させることなく操作することができる。
【００５４】
また、本実施の形態においては、前記詳細設定画面を表示後、前記近接検知部２０３で検知された静電容量が予め設定された静電容量レベル以上となった場合、人体の一部が前記表示手段１０２から離れたと判定し、前記詳細設定画面を消去する構成としてもよいも
のとする。
【００５５】
さらに、本実施の形態においては、前記表示制御部２１１において、前記近接検知部２０３で人体の一部が前記表示手段に近接したことを検知してから前記詳細設定画面を表示するまでの時間を計測する計時手段を備え、前記近接検知部で２０３において人体の一部が近接したことを検知しても、すぐに前記詳細設定画面を表示しないようにすることにより、必要以上に詳細設定画面が表示することを防ぐ構成としてもよいものとする。
【００５６】
（実施の形態３）
次に、本発明における第３の実施の形態について図１０を使用して説明する。
【００５７】
図１０は、図７の洗濯機の操作表示部１１１の構成図に対して、表示制御部２１１に、前記近接検知部２０３で検知された近接検知位置の設定項目に対応する詳細設定画面が、表示した状態でユーザが直接操作可能かどうかを判定する操作可能判定部２１４を備えた構成とする。
【００５８】
ここで、前記近接検知部２０３には、予め人体の一部が近接したと判定する静電容量レベルが設定され、前記近接検知部２０３で検知された静電容量が予め設定された静電容量レベル以下となった場合、人体の一部が前記表示手段１０２に近接したと判定する構成とし、前記操作可能判定部２１４には、ユーザが近接検知時に表示された状態で直接操作可能である詳細設定画面の番号が、予め設定されているものとする。
【００５９】
以上のように構成された洗濯機の操作について、以下その動作・作用を図１１のフローチャートを使用して説明する。
【００６０】
まず、洗濯機本体１０１の操作キー１０４を介して、ユーザが前記洗濯機本体１０１の電源をＯＮにし、表示制御部２１１は表示手段１０２へ図３に示す基本設定画面を表示する。前記基本設定画面を表示中に、近接検知部２０３は、タッチ操作手段１０３の静電容量の距離方向への変化より人体の一部が近接したことを検知（ステップ１）し、前記表示制御部２１１は、前記近接検知位置に対応する詳細設定画面があると判定した場合、操作可能判定部２１４において、前記詳細設定画面をユーザの操作対象として登録（ステップ２）し、前記表示手段１０２へ前記詳細設定画面を表示する（ステップ３）。ここで、前記詳細設定画面を表示した後、前記操作可能判定部２１４において操作対象としている詳細設定画面が表示されている場合、前記詳細設定画面をユーザが直接操作可能とし、接触検知部２０２において、前記詳細設定画面に配置された操作ボタンが押下されたことを検知すると、前記操作ボタンに対応した設定に変更する。
【００６１】
また、前記近接検知部２０３において、ユーザの指が前記表示手段１０２から離れたと検知する（ステップ４のＹＥＳ）と、前記表示制御部２１１へ近接解除通知を通知する（ステップ５）。前記操作可能判定部２１４は、前記近接検知部２０３から近接解除通知を取得すると、前記詳細設定画面を、ユーザの操作対象から削除（ステップ６）し、前記表示制御部２１１は、前記表示手段１０２に表示されている前記詳細設定画面を非表示にする（ステップ７）。
【００６２】
例えば、前記近接検知部２０３において、前記すすぎ設定ボタン３２２の領域にユーザの指の一部が近接したことを検知すると、図５に示すように、表示手段１０２へ前記すすぎ設定ボタン３２２に対応するすすぎ設定画面４０１を表示するが、その後、ユーザの指の一部が近接した状態であれば、図１２に示すように、前記すすぎ設定画面４０１のすすぎ詳細設定ボタン４０２を直接操作することが可能となる。また、前記すすぎ設定画面４０１を前記表示手段１０２へ表示後、ユーザの指の一部が前記表示手段１０２から離れた
場合、前記すすぎ設定画面４０１を消去することが可能となる。
【００６３】
以上のように、本実施の形態においては、前記近接検知部２０３で検知された近接検知位置の詳細設定画面を表示した後、検知された人体の一部が前記表示手段１０２から予め設定された距離以内にある場合は、前記詳細設定画面をタッチ操作することが可能となり、ユーザがボタンを押下する回数を増やすことなく必要な詳細設定を行うことができる。
【００６４】
また、本実施の形態においては、前記表示制御部２１１において、前記近接検知部２０３で人体の一部が前記表示手段に近接したことを検知してから前記詳細設定画面を表示するまでの時間を計測する計時手段を備え、前記近接検知部で２０３において人体の一部が近接したことを検知しても、すぐに前記詳細設定画面を表示しないようにすることにより、必要以上に詳細設定画面が表示することを防ぐ構成としてもよいものとする。
【産業上の利用可能性】
【００６５】
以上のように本発明にかかるユーザの指の近接状態を判断して、直接操作部を押下することなく詳細設定画面を表示する方法は、洗濯機以外の家電機器の操作装置においてもユーザの操作性を向上させることができる。
【符号の説明】
【００６６】
１０２  表示手段
１０３  タッチ操作手段
２０３  近接検知部
２０４  スライド検知部
【図２】
2014147441.tif 000003
【図３】
2014147441.tif 000004
【図４】
2014147441.tif 000005
【図６】
2014147441.tif 000006
【図７】
2014147441.tif 000007
【図８】
2014147441.tif 000008
【図１０】
2014147441.tif 000009
【図１１】
2014147441.tif 000010
【図１３】
2014147441.tif 000011
【図１】
2014147441.tif 000012
【図５】
2014147441.tif 000013
【図９】
2014147441.tif 000014
【図１２】
2014147441.tif 000015